(57)【要約】  【課題】強度を損なうことなく頂板及び側板を薄肉化する等して収納装置全体をスマートな外観にし、同時に極力広い収納空間を確保するとともに、高さ違いにも容易に対応できるようにした収納装置を提供する。【解決手段】頂板２、底板３及び左右の側板１からなる筐体Ａの内部に収納空間Ｓを形成し、この収納空間Ｓを前方に開口させたものであって、前記開口の開口縁に位置することとなる頂板２及び左右の側板１の各縁部にそれぞれ薄板素材からなる補強材６，７を付帯させ、コーナー部において相隣接する補強材６，７同士を相互に係わり合わせることによって、補強材６，７全体を少なくとも３辺において連なった状態にした。  【選択図】図２
2006271555.tif 000002
【特許請求の範囲】
【請求項１】
少なくとも頂板、底板及び左右の側板からなる筐体の内部に収納空間を形成し、この収納空間を前方に開口させてなる収納装置であって、
前記開口の開口縁に位置することとなる頂板及び左右の側板の各縁部にそれぞれ薄板素材からなる補強材を付帯させ、コーナー部において相隣接する補強材同士を相互に係わり合わせることによって、補強材全体を少なくとも３辺において連なった状態にしていることを特徴とする収納装置。
【請求項２】
前記開口の開口縁に位置することとなる底板の縁部にも薄板素材からなる補強材を付帯させ、コーナー部において相隣接する補強材同士を相互に係わり合わせることによって、補強材全体を周回状に連なった状態にしたことを特徴とする請求項１記載の収納装置。
【請求項３】
左右の側板に頂板、底板及び背板を分離し得ないように嵌め合わせて前記筐体を構成するようにしたものであって、予め頂板及び左右の側板に補強材を装着しておき、これらを嵌め合わせることによって相隣接する補強材同士が一部において厚み方向に重合するように構成している請求項１記載の収納装置。
【請求項４】
左右の側板に頂板、底板及び背板を分離し得ないように嵌め合わせて前記筐体を構成するようにしたものであって、予め頂板、底板及び左右の側板に補強材を装着しておき、これらを嵌め合わせることによって相隣接する補強材同士が一部において厚み方向に重合するように構成している請求項２記載の収納装置
【請求項５】
頂板に垂下させて設けた係合片を側板の対応位置に設けた係合孔に差し込んで係合させるようにしたものであって、補強材を、水平板部が頂板に対して非平行となる姿勢で頂板の下面に差し込み、その位置で回転させることによって水平板部を頂板の下面に密着させて装着するとともに、水平板部の左右両端部から垂下させた垂下片を側板の対応位置に設けた挿通孔に挿し通すことによって、頂板の補強材の逆回転を禁止しつつ前記垂下片を側板の内面の対応部位に予め装着した補強材に重合させるようにしている請求項１〜４記載の収納装置。
【請求項６】
側板の補強材の上下両端部を、当該側板の内面に上下に離間させて設けた差込部にけんどん方式で差し込み、差し込み終えた段階で当該補強材の中間部に設けた窓に側板の内面に設けた突起を楔作用によって食い込ませるようにしている請求項５記載の収納装置。
【請求項７】
筐体が樹脂素材からなり、側板間に引出しを支持させて書類整理箱として利用可能なものである請求項１〜６記載の収納装置。
【発明の詳細な説明】
【技術分野】
【０００１】
本発明は、オフィス等において好適に使用される収納装置に関するものである。
【背景技術】
【０００２】
この種の収納装置として、例えば特許文献１等に示すものが知られている。このものは、左右の側板の間を頂板で接続した金属素材からなる収納装置本体の側板の内面に樹脂製のレール部材を配置し、これら左右のレール部材に上下非対称な形態をなすレールを鏡面対称となるように複数段に亘り列設して、収納装置本体に底板及び背板を嵌め合わせて筐体を構成している。そして、同じ段に位置することとなる左右のレール間に引出しを支持させて書類整理箱としての利用を可能にしている。収納装置本体の側板は、前方にレール部材の厚みに対応させて直角に折り曲げ形成した前端面が設けてあり、引出しの左右両端部はこれに前後方向に重合することなく、左右の側板の内方に入り込んで内面間に収まった状態で収納されるようになっている。
【特許文献１】実公平６−３６７６６号公報
【発明の開示】
【発明が解決しようとする課題】
【０００３】
ところが、このように引出しの荷重を支持するために収納装置本体とレール部材を別部品とすると、部品点数が増えて製造コストが増大するばかりか、筐体の側板部分が二重になるため、野暮ったい感じが否めないものとなる。
【０００４】
これに対して、少なくとも側板を樹脂の１枚ものにして二重化を回避するように構成することも可能であるが、それのみでは必要な強度を得るために側板をある程度厚肉化することが避けられず、野暮ったい感じを完全に払拭することは困難である。
【０００５】
また、左右の側板から頂板までの３辺に亘って一連をなす補強材を取り付けることも考えられるが、このような形態の補強材は後付で目立たない位置に組み込むことが難しく、また高さ違いに対応するために別途新たな補強材を準備することが必要となるため、更なるコスト高を招くこととなる。
【０００６】
本発明は、このような課題を好適に解決した収納装置を提供することを目的としている。
【課題を解決するための手段】
【０００７】
本発明は、かかる目的を達成するために、次のような手段を講じたものである。
【０００８】
すなわち、本発明の収納装置は、少なくとも頂板、底板及び左右の側板からなる筐体の内部に収納空間を形成し、この収納空間を前方に開口させてなる収納装置であって、前記開口の開口縁に位置することとなる頂板及び左右の側板の各縁部にそれぞれ薄板素材からなる補強材を付帯させ、コーナー部において相隣接する補強材同士を相互に係わり合わせることによって、補強材全体を少なくとも３辺において連なった状態にしていることを特徴とする。
【０００９】
このようにすると、頂板及び側板を薄肉にしても強度を確保することができるので、収納装置全体を軽快でスマートな外観を呈するものにすることができ、同時に極力広い収納空間を確保することが可能となる。しかも、補強材それ自体は互いに分離したものであるため、簡素な構造で済み、頂板や側板に後付で目立たない位置に付帯させることも容易となり、高さ違いの収納装置にも一部の補強材の変更のみで対応可能となる上に、組立状態であっても一連となることで補強材を一体で作った場合と同等の強度を得ることができる。
【００１０】
より顕著な構成としては、前記開口の開口縁に位置することとなる底板の縁部にも薄板素材からなる補強材を付帯させ、コーナー部において相隣接する補強材同士を相互に係わり合わせることによって、補強材全体を周回状に連なった状態にしているものが挙げられる。
【００１１】
作業の簡素化及び工数の削減を図るためには、左右の側板に頂板、底板及び背板を分離し得ないように嵌め合わせて前記筐体を構成するようにしたものであって、予め頂板及び左右の側板に補強材を装着しておき、これらを嵌め合わせることによって相隣接する補強材同士が一部において厚み方向に重合するように構成していること、或いは、左右の側板に頂板、底板及び背板を分離し得ないように嵌め合わせて前記筐体を構成するようにしたものであって、予め頂板、底板及び左右の側板に補強材を装着しておき、これらを嵌め合わせることによって相隣接する補強材同士が一部において厚み方向に重合するように構成していることが好ましい。
【００１２】
補強材を頂板に的確に装着して側板の補強材に適切に係わり合わせるようにするためには、頂板に垂下させて設けた係合片を側板の対応位置に設けた係合孔に差し込んで係合させるようにしたものであって、補強材を、水平板部が頂板に対して非平行となる姿勢で頂板の下面に差し込み、その位置で回転させることによって水平板部を頂板の下面に密着させて装着するとともに、水平板部の左右両端部から垂下させた垂下片を側板の対応位置に設けた挿通孔に挿し通すことによって、頂板の補強材の逆回転を禁止しつつ前記垂下片を側板の内面の対応部位に予め装着した補強材に重合させるようにしていることが望ましい。
【００１３】
その際、側板に補強材を簡単、適切に装着するためには、側板の補強材の上下両端部を、当該側板の内面に上下に離間させて設けた差込部にけんどん方式で差し込み、差し込み終えた段階で当該補強材の中間部に設けた窓に側板の内面に設けた突起を楔作用によって食い込ませるようにしていることが望ましい。
【００１４】
本発明の好適な適用例としては、筐体が樹脂素材からなり、側板間に引出しを支持させて書類整理箱として利用可能としているものが挙げられる。
【発明の効果】
【００１５】
本発明は、以上のような構成であるから、強度を損なうことなく頂板及び側板を薄肉化する等して収納装置全体をスマートな外観にし、同時に極力広い収納空間を確保するとともに、高さ違いにも容易に対応できるようにした収納装置を提供することが可能となる。
【発明を実施するための最良の形態】
【００１６】
以下、本発明の一実施形態を、図面を参照して説明する。
【００１７】
この実施形態の収納装置は、図１及び図２に示すように組立式のもので、硬質樹脂素材からなる側板部材１０を主体とする左右の側板１に樹脂素材からなる頂板２、底板３及び背板４を相互に組み付けることによって筐体Ａを構成し、この筐体Ａ内に形成される収納空間Ｓに引出し５を、左右の側板１に設けたレール１１、１２を介して支持させるようにしている。
【００１８】
具体的に説明すると、側板１はその上縁近傍及び下縁近傍における奥行き方向間欠位置に、図２、図３及び図５に示すように階段状に内空を狭めながら上下方向に貫通する略矩形状の係合孔１３ａを有するブロック体状の突起１３を上縁と下縁で逆向きとなるように設けたもので、この係合孔１３ａに頂板２及び底板３の対応部位に垂下させ或いは突出させて設けた係合部２３、３３を図４及び図６に示すように離脱し得ない状態で差し込んで係合させるようにしている。係合部２３、３３は、図３及び図５に示すように、板状をなすベース２３ａ、３３ａに３条の爪２３ｂ、３３ｂを平行に形成したもので、奥行き方向に沿って突起１３の１つおきに、真ん中の爪２３ｂ、３３ｂから下方又は上方に延出する鉤状部２３ｃ、３３ｃを延出させている。そして、鉤状部２３ｃ、３３ｃのない爪２３ｂ、３３ｂは図４（ｂ）及び図６（ｂ）に示すように単に係合孔１３ａの内部に収まった状態に止どまるのに対して、鉤状部２３ｃ、３３ｃのある爪２３ｂ、３３ｂは図４（ａ）及び図６（ａ）に示すように係合孔１３ａを通過した位置で開口縁に係合して係合部２２，３３が係合孔１３ａから抜脱するのを禁止する戻り止めの役割を果たしている。
【００１９】
一方、側板１には、図２に示すようにそれらの上縁近傍及び側縁近傍に被係合部１ｘが設けてあり、これらの被係合部１ｘに、頂板２及び底板３の外側面における対応部位に設けた係合部２ｘ、３ｘを係合させて、側板１と頂板２、側板１と底板３をそれぞれ分離し得ないように組み付けるようにしている。また、側板１及び頂板２には、それらの後縁近傍に別異の被係合部１ｙ、２ｙが設けてあり、これらの被係合部１ｙ、２ｙに、背板４の対応部位に設けた係合部４ｙを係合させて、側板１と背板４、頂板２と背板４をそれぞれ分離し得ないように組み付けるようにしている。図示しないが、底板３と背板４における関係も同様である。分離し得ないようにとは、特殊な工具等を用いなければ分離することが困難な程度を言う。このような構造は、例えば、組をなす係合部若しくは被係合部の一方が経過的に弾性変形して係合の深い位置で復元し、再び工具を用いて弾性変形させなければ係合が解除し得ないような適宜の構成によって容易に実現することができる。
【００２０】
次に正面視左側の側板１に着目すると、図２及び図７（ａ）に示すように、レール１１はその前端側に上方に向けて起立しそこから前方に向けて部分円弧状に湾曲する膨出部１１ａを有し、レール１２はその前端側に下方に向けて垂下しそこから前方に向けて湾曲する膨出部１２ａを有したもので、これらを高さ方向に交互に配置している。この左側の側板１を上下倒置して右側の側板１として使用するとき、図２に示すように左側に位置する側板１のレール１１の対応部位に右側の側板１のレール１２が、また左側に位置する側板１のレール１２の対応部位に右側の側板１のレール１１がそれぞれ同一高さで対峙して、これら左右のレール１１、１２同士、レール１２，１１同士が鏡面対称をなすように構成している。このとき、左側のレール１２と右側のレール１１が図９に示すように実際に引出し５を支持する「使用されるレール」となり、左側のレール１１と右側のレール１２が「使用されないレール」となる。
【００２１】
そして、本実施形態では、使用されるレール１１（１２）と使用されないレール１２（１１）の前端部間及び後端部間を図２及び図７等に示すようにリブ１５ａ、１５ｂによって接続しており、このうちのリブ１５ｂを筐体Ａの嵌め合い構造の一部として利用している。具体的には、後端部のリブ１５ｂの後面における上端近傍部及び下端近傍部に後方に向けて突起１５ｃを設け、この突起１５ｃに背板４の対応位置に設けたボス穴４５ｃを係合させるようにしている。これらと同様に、頂板２及び底板３にも突起２５ｃ、３５ｃを設け、背板４の対応部位にボス穴４５ｃを設けている。
【００２２】
一方、引出し５は、図１及び図２に示すように、左右の側板５１の間を底板５２、鏡板５３及び後板５４で接続した硬質樹脂素材からなる扁平箱状の引出し本体５ａを主体とするもので、この引出し本体５ａの側板５１の外面に前後方向に延びて本発明の突起部として機能する突条５１ａを設けるとともに、鏡板５３の前方に把手５５を突設している。引出し本体５ａの側板５１の外面は、図９に示すように左右の側板１の内面に形成したレール１１，１２と干渉しない状態に配置され、この引出し本体５ａの側面から外方に突出する前記突条５１ａを対応する左側の側板１のレール１２と右側の側板１のレール１１の上に添接支持させるようにしている。なお、引出し５の突条５１ａの後端近傍の下方には、図２及び図１４に示すように、引出し５を引き出した際にレール１２（１１）の膨出部１２ａ（１１ａ）の後向面に当接して抜け止めを図る突起５１ｂが設けてある。引出し５は突条５１ａの前端側の下面がレール１２，１１の膨出部１２ａ（１１ａ）の上面に支持され、後端側を突起５１ｂの下面を介してレール１２（１１）の平坦部の上面に支持される。引出し５を抜き取る際は、持ち上げて突条５１ａ及び突起５１ｂをレール１２（１１）とその上段側に位置するレール１１（１２）との隙間に通さない限りこれらのレール１１，１２間から外れない構造となっている。また、引出し５には、前記突起５１ｂの更に後下方に突起５１ｃが設けてあるが、この突起５１ｃは引出し５を最大限に引き出した際にレール１２（１１）の下面に添接して引出し２の前垂れを防止する役割を果たすものである。この突起５１ｂは、レール１１，１２の前端部間を接続するリブ１５ａの突出量の少ない部分（図１４における符号１５ａｘ部分）から挿脱される。
【００２３】
ところで、この収納装置は、前記筐体Ａの開口縁に位置することとなる頂板３及び左右の側板２の各縁部に図２に示す薄板素材を塑性変形加工した補強材６、７を付帯させ、これらを嵌め合わせる際に、コーナー部において相隣接する補強材６，７同士を相互に係わり合わせることによって、補強材全体を３辺において連なった状態にしている。
【００２４】
具体的に説明すると、補強材６は、図２、図７（ａ）、図９及び図１１に示すように、水平板部６１の左右両端部に垂下片６２を連設したもので、図７（ｂ）に示すように当該補強材６の長手方向に沿った仮想軸回りに水平板部６１を回転させて頂板２に非平行となる姿勢に保持した状態で、水平板部６１の前縁を頂板２の下面に設けた差込部２６ａに差し込み、その位置で図７（ｃ）に矢印で示すように頂板２に対し平行となる位置まで回転させることによって、水平板部６１の後向面６１aを頂板２の下面に設けた突起２６ｂの内側に圧入して密着状態で装着するようにしている。
【００２５】
一方、補強材７は、図２、図７（ａ）、図８〜図１２に示すように、上下両端部に屈曲部７ａ，７ｂを設けたもので、側板１の内面に上下に離間させて設けた袋状の差込部１７ａ、１７ｂに補強材７を、上端部７ａ（図９中矢印参照）→下端部７ｂ（図１０中矢印参照）の順でけんどん方式により差し込み、差し込み終えた段階で当該補強材７の中間部に設けたテーパ状をなす窓７ｃ（図７（ａ）、図８参照）に側板１の内面に設けた突起１７ｃを楔作用によって食い込ませるようにしている。
【００２６】
そして、図３に矢印で示すように頂板２に垂下させて設けた係合部２３を側板１の対応位置に設けた係合孔１３ａに差し込んで係合させる際、補強材６の垂下片６２を図１１に矢印で示すように側板１の対応位置に設けた挿通孔１８に挿し通すことによって、補強材６の頂板２に対する逆回転をこの挿通孔１８を囲繞する周壁によって禁止しつつ図７（ａ）及び図９に示すように前記垂下片６２を補強材７の上端側の屈曲片７ａに厚み方向に重合させるようにしている。
【００２７】
上記補強材６は、その水平板部６１の大半が頂板２の下面に凹設した差込部２６ａに収容され、垂下片６２も挿通孔１８に入り込んで、正面から殆ど視認されない状態となる。補強材７も、その屈曲部７ａ、７ｂが差込部１７ａ、１７ｂに入り込み、中央部分が側板１のリブ１５ａ及びその前方に立設したリブ１５ｃの間に形成される溝に入り込んで、前方から殆ど視認されない状態となる。
【００２８】
また、この収納装置は、図２に示すように、前記筐体Ａの開口縁に位置することとなる底板３の端部近傍にも薄板素材を塑性変形加工した補強材８を付帯させており、コーナー部において相隣接する補強材７，８同士を相互に係わり合わせるようにしている。
【００２９】
具体的に説明すると、補強材８は、図２、図８、図１０及び図１２に示すように、水平板部８１から起立片８２をアングル状に起立させたもので、水平板部８１を図１２に示すように底板３に設け差込部３８に小口方向から差し込み、起立片８２を底板３から起立させるようにしている。
【００３０】
そして、図５に矢印で示すように底板３に突出させて設けた係合部３３を側板１の対応位置に設けた係合孔１３ａに差し込んで係合させる際、補強材８の起立片８２を図１２に矢印で示すように側板１の対応位置に設けた挿通孔１８に挿し通すことによって、図８及び図１０に示すように前記起立片８２を補強材７の下端側の屈曲片７ｂに厚み方向に重合させるようにしている。
【００３１】
補強材８は、その水平板部８１が底板３の厚み内に入り込み、起立片８２も側板１の挿通孔１８に入り込んで、前方から殆ど視認されない状態となる。
【００３２】
さらに、この実施形態は、引出し５を筐体Ａの収納空間Ｓに適切に押し込むことを可能にするために、図２及び図１３に示すように、前記筐体Ａの側板１を構成する側板部材１０の前縁に沿って軟質樹脂素材からなる平断面略三角形状の当接部材１００を取り付け、この当接部材１００によって側板１の前端面１００ａに当該側板１の外面１ｐ側から内面１ｑ側に向けて斜め後方に傾斜する傾斜面１００ｂを形成している。
【００３３】
一方、引出し５の鏡板５３の左右両端部における背面５３ａから後方に向けて、前記傾斜面１００ｂと平行をなす傾斜面５６を形成している。
【００３４】
そして、引出し５を押し込んだ際にこれらの傾斜面１００ｂ、５６同士を当接させ、かつ側板１の前端面１００ａを鏡板５３が完全には覆わないようにして、一部において前方（図１３における矢印Ｘ方向）に表出させた左右の側板１の前端面１００ａ、１００ａ間に鏡板５３を位置づけるようにしている。換言すれば、引出し５を押し込んでも筐体Ａを構成する側板１の前端面１００ａが前方から視認可能な状態となる。本実施形態の傾斜面５６は内部に中空部５６ａを成形したブロック体状のものであるが、水平板状のリブによって傾斜面５６を形成することも勿論可能である。
【００３５】
なお、ここに言う硬質、軟質は相対的な硬さを表したものである。また、側板１、頂板２、底板３及び背板４の内面には必要に応じて適宜のリブを設けるようにするとよい。
【００３６】
以上のようにして、本実施形態の収納装置は、頂板２、底板３及び左右の側板１からなる筐体Ａの内部に収納空間Ｓを形成し、この収納空間Ｓを前方に開口させたものであって、前記開口の開口縁に位置することとなる頂板２及び左右の側板１の各縁部にそれぞれ薄板素材からなる補強材６，７を付帯させ、コーナー部において相隣接する補強材６，７同士を相互に係わり合わせることによって、補強材６，７全体を少なくとも３辺において連なった状態にしたものである。
【００３７】
このようにすると、頂板２及び側板１を薄肉にしても強度を確保することができるので、収納装置全体を軽快でスマートな外観を呈するものにすることが可能となり、同時に、極力広い収納空間Ｓを確保することが可能となる。しかも、補強材６，７それ自体は互いに分離したものであるため、作り易い簡素な構造となり、頂板２や側板１に後付であっても正面から目立たない位置に有効に付帯させることが可能となる。その上、高さ違いの収納装置にも側板１の補強材７の変更のみで対応可能となり、組立状態においては一連となるため補強材６、７を一体で作った場合と同等の強度を得ることができる。
【００３８】
特に、この実施形態のものは、左右の側板１に頂板２、底板３及び背板４を分離し得ないように嵌め合わせて前記筐体Ａを構成し、予め頂板２及び左右の側板１に補強材６、７を装着しておき、これらを嵌め合わせる作業によって相隣接する補強材６，７同士を一部において厚み方向に重合させるようにしており、側板１や頂板２が互いに分離しているため簡単に補強材６、７を付帯させることができ、しかも筐体Ａの組立完了と同時に部分枠体状の補強構造も完成するため、作業の簡素化及び工数の削減を図ることができる。
【００３９】
補強材６については、水平板部６１が頂板２に対して非平行となる姿勢で頂板２の下面に差し込み、その位置で回転させることによって水平板部６１を頂板２の下面に密着させて装着するとともに、水平板部６１の左右両端部から垂下させた垂下片６２を側板１の対応位置に設けた挿通孔１８に挿し通すことによって、頂板２の補強材６の逆回転を禁止しつつ垂下片６２を側板１の内面の対応部位に予め装着した補強材７に重合させるようにしているので、コ字形をなす補強材６を頂板２に簡単に装着することができ、しかも筐体Ａの組立後は側板２の挿通孔１８において頂板２の補強材６が抜脱し得ないように抑えられるため、この補強材６を側板１の補強材７に適切に重合させることができる。
【００４０】
補強材７については、その上下両端部に形成した折曲部７ａ、７ｂを、当該側板１の内面に上下に離間させて設けた差込部１７ａ、１７ｂにけんどん方式で差し込み、差し込み終えた段階で当該補強材７の中間部に設けた窓１７ｃに側板１の内面に設けた突起７ｃを楔作用によって食い込ませるようにしているので、側板１に補強材７を簡単、適切に装着することができる。
【００４１】
そして、本実施形態の収納装置は筐体Ａが樹脂素材からなり、側板１，１間に引出し５を支持させて書類整理箱として利用可能にしているが、このようなものは引出し５の荷重が側板１ひいては頂板２に撓み荷重として掛かり、書類整理箱を積み重ねて利用すれば更に荷重が増えることがあるにも拘らず、上記の構成によって側板１や頂板２を肉厚化することを回避でき、外観を損ねることなく書類整理箱全体の強度を有効に向上させることができる。
【００４２】
なお、各部の具体的な構成は、上述した実施形態のみに限定されるものではない。
【００４３】
例えば、筐体の開口の開口縁に位置することとなる底板の縁部にも上記頂板に設けたと同様の薄板素材からなる補強材を付帯させ、側板とのコーナー部において相隣接する補強材同士を相互に係わり合わせれば、補強材全体を周回状に連なった状態にすることもできる。
【００４４】
このようにすれば、上記の作用効果がより顕著となるほか、この収納装置を倒置して使用する利用態様等にも容易に対応することができるようになる。
【００４５】
この場合、上記実施形態と同様に左右の側板に頂板、底板及び背板を分離し得ないように嵌め合わせて前記筐体を構成するようにした上で、底板にも頂板と同様の補強材を装着しておき、これらを嵌め合わせることによって相隣接する補強材同士が一部において厚み方向に重合するように構成すればよい。
その他の構成も、本発明の趣旨を逸脱しない範囲で種々変形が可能である。
【図面の簡単な説明】
【００４６】
【図１】本発明の一実施形態を示す斜視図。
【図２】同分解斜視図。
【図３】同実施形態における頂板と側板の係合構造を示す部分分解斜視図。
【図４】図３に対応した部分組立斜視図。
【図５】同実施形態における底板と側板の係合構造を示す部分分解斜視図。
【図６】図５に対応した部分組立斜視図。
【図７】同実施形態における頂板と側板のコーナー部分を示す部分側断面図。
【図８】同実施形態における底板と側板のコーナー部分を示す部分側断面図。
【図９】同実施形態における頂板と側板のコーナー部分を示す部分正断面図。
【図１０】同実施形態における底板と側板のコーナー部分を示す部分正断面図。
【図１１】図７及び図９に対応した部分分解斜視図。
【図１２】図８及び図１０に対応した部分分解斜視図。
【図１３】同実施形態における引出しの部分平断面図。
【図１４】同実施形態における引出しとレールの関係を示す部分側断面図。
【図１５】同実施形態の頂板及び底板を共用した高さ違いの収納装置ユニットを示す図。
【符号の説明】
【００４７】
Ａ…筐体
Ｓ…収納空間
１…側板
２…頂板
３…底板
４…背板
５…引出し
６，７…補強材
７ｃ…窓
１３ａ…係合孔
１７ａ、１７ｂ…差込部
１７ｃ…突起
１８…挿通孔
２３…係合部
６１…水平板部
６２…垂下片
【図１】
2006271555.tif 000003
【図２】
2006271555.tif 000004
【図３】
2006271555.tif 000005
【図４】
2006271555.tif 000006
【図５】
2006271555.tif 000007
【図６】
2006271555.tif 000008
【図７】
2006271555.tif 000009
【図８】
2006271555.tif 000010
【図９】
2006271555.tif 000011
【図１０】
2006271555.tif 000012
【図１１】
2006271555.tif 000013
【図１２】
2006271555.tif 000014
【図１３】
2006271555.tif 000015
【図１４】
2006271555.tif 000016
【図１５】
2006271555.tif 000017